(57)【要約】【課題】破損してもガラスブロックの交換が容易であり、壁のデザインや色を変更したり、商品、装飾品等をガラスブロックの中空部に入れてショーケースとして利用したり、あるいはガラスブロックの中空部に入れた商品、装飾品等を取り替えたりすることが容易なガラスブロック及びそれを用いたガラスブロック構築体を提供すること。【解決手段】本発明のガラスブロックは、底面が透光面となる一対の有底無蓋のガラス成形体の開放端縁によって、枠部と、枠部の外側面の少なくとも２箇所に突設した連結部とを備えた連結部材を挟持し、ガラス成形体の側壁に透光面と略垂直に形成した貫通孔に締着部材を挿通して締着一体化してなる。【選択図】                図１
2004346575.tif 000002
【特許請求の範囲】
【請求項１】
底面が透光面となる一対の有底無蓋のガラス成形体と、枠部と枠部を縦筋に連結させるための連結部を有する連結部材を備え、各ガラス成形体の開放端縁によって連結部材の枠部を挟持し、各ガラス成形体の側壁に形成した貫通孔に締着部材を挿通して締着一体化してなるガラスブロック。
【請求項２】
各ガラス成形体の側壁に形成した貫通孔と、連結部材の枠部に形成した挿通保持孔とに締着部材を挿通して締着一体化してなる請求項１に記載のガラスブロック。
【請求項３】
請求項１又は２に記載の複数個のガラスブロックと、縦目地部分に全長に亘って配置された縦筋とを具備したガラスブロック構築体であって、連結部材の連結部を縦筋に嵌着してガラスブロックを固定してなるガラスブロック構築体。
【請求項４】
上端から下端に沿って徐々に大きくなる外径と、上端から下端に連続するスリットとを有する略筒状の楔部材を、連結部材の連結部と縦筋の間に連結部の下端から挿入して連結部を固定してなる請求項３に記載のガラスブロック構築体。
【請求項５】
楔部材の内孔面に凸部が形成され、縦筋の外表面に凹部が形成され、楔部材の凸部と、縦筋の凹部とが嵌合してなる請求項４に記載のガラスブロック構築体。
【発明の詳細な説明】
【０００１】
【発明の属する技術分野】
本発明は、ガラスブロック及びそれを用いたガラスブロック構築体に関し、特に屋内の間仕切壁を構築するためのガラスブロック及びそれを用いたガラスブロック構築体に関するものである。
【０００２】
【従来の技術】
従来のガラスブロック壁の構築は、ガラスブロックを下から順番にモルタルを介在させつつ、かつ、ガラスブロック間目地に任意の間隔で補強筋を配しながら積み上げるという、いわゆる湿式工法を用いて施工していた。
【０００３】
しかし、湿式工法では、モルタルを使用するため、一定の養生期間が必要であり、またガラスブロック間の目地幅を一定に保って施工するのに熟練技術と手間がかかるという欠点があった。
【０００４】
そこで、養生期間が短く、熟練技術を必要としない工法として、ゴム等の弾性材料からなる目地材を用いた、いわゆる乾式工法が開発され、ガラスブロック壁を構築するのに用いられるようになってきた（例えば、特許文献１、２参照）。
【０００５】
【特許文献１】
特開平１１−２４７３１２号公報
【特許文献２】
特開２０００−６４４９４号公報
【０００６】
【発明が解決しようとする課題】
ところで、商業店舗等でみられる屋内の間仕切壁は、単に部屋の境界を区切るだけでなく、その壁を通して光を取り入れたり、壁にデザインや色を施して壁を装飾したり、あるいはその壁を、商品を展示するためのショーケースの一つとして利用することも要求されるようになってきた。
【０００７】
しかし、特許文献１、２に記載のガラスブロック構築体を屋内の間仕切壁として使用する場合には、間仕切り壁を通して光を取り入れたり、所望のデザインや色調を有するガラスブロックを使用すれば、壁を装飾したりすることはできるものの、壁のデザインや色を変更したり、商品、装飾品等をガラスブロックの中空部に入れてショーケースとして利用したり、あるいはガラスブロックの中空部に入れた商品、装飾品等を取り替えたりすることは非常に困難であった。また、ガラスブロックが一部破損した場合には、破損したガラスブロックだけでなく、ガラスブロック壁の一部又は全部を解体する必要があり、ガラスブロックを容易に交換できなかった。
【０００８】
本発明の目的は、破損してもガラスブロックの交換が容易であり、壁のデザインや色を変更したり、商品、装飾品等をガラスブロックの中空部に入れてショーケースとして利用したり、あるいはガラスブロックの中空部に入れた商品、装飾品等を取り替えたりすることが容易なガラスブロック及びそれを用いたガラスブロック構築体を提供することにある。
【０００９】
【課題を解決するための手段】
上記目的を達成するために本発明のガラスブロックは、底面が透光面となる一対の有底無蓋のガラス成形体と、枠部と枠部を縦筋に連結させるための連結部を有する連結部材を備え、各ガラス成形体の開放端縁によって連結部材の枠部を挟持し、各ガラス成形体の側壁に形成した貫通孔に締着部材を挿通して締着一体化してなる構成としている。
【００１０】
本発明のガラスブロックは上記構成としたから、締着部材を貫通孔から抜くだけで、ガラスブロックを容易に分解できるため、デザインや色調の異なるガラス成形体に交換することによって、あるいは一対のガラス成形体の開放端縁によって挟持するファイバーシート材等のシート材を交換又は着脱することによって、壁のデザインや色調を容易に変更できる。また、商品、装飾品等をガラスブロックの中空部に入れてショーケースとして利用したり、あるいはガラスブロックの中空部に入れた商品、装飾品等を取り替えたりすることが容易になる。さらに、本発明のガラスブロックを使用して構築したガラスブロック構築体は、連結部を縦筋に嵌着して固定するため、連結部を容易に着脱させることができ、ガラスブロックが一個単位で容易に着脱可能となる。そのため、ガラスブロックが一部破損しても、ガラスブロック構築体の一部又は全部を解体することなく、破損したガラスブロックだけを交換するだけでよく、補修が容易になる。
【００１１】
また、締着部材を、ガラス成形体の貫通孔だけでなく、連結部材の枠部に形成した挿通保持孔にも挿通して締着一体化すれば、ガラス成形体と連結部材とがずれにくく、ガラスブロックをガラスブロック構築体に、位置ずれすることなく固定することができるため好ましい。
【００１２】
また、本発明のガラスブロック構築体は、上記何れかの複数個のガラスブロックと、縦目地部分に全長に亘って配置された縦筋とを具備したガラスブロック構築体であって、連結部材の連結部を縦筋に嵌着させてガラスブロックを固定してなる構成としている。
【００１３】
本発明のガラスブロック構築体は上記構成としたから、ガラスブロック構築体を容易に構築でき、また間仕切壁の位置を変更する際には、ガラスブロック構築体を容易に解体し再構築できる。また、ガラスブロックが一部破損しても、ガラスブロック構築体の一部又は全部を解体することなく、破損したガラスブロックだけを交換するだけでよく、補修が容易になる。
【００１４】
また、上端から下端に沿って徐々に大きくなる外径と、上端から下端に連続するスリットとを有する略筒状の楔部材を、連結部材の連結部と縦筋の間に連結部の下端から挿入して連結部を固定すれば、ガラスブロックが縦筋に沿って下方にずれにくいため好ましい。特に、楔部材の内孔面に凸部が形成され、縦筋の外表面に凹部が形成され、楔部材の凸部と、縦筋の凹部とを嵌合させると、ガラスブロックが縦筋に沿って下方にずれることがなく確実に固定でき、また、個々のガラスブロックを正確に位置決めできるためさらに好ましい。
【００１５】
【発明の実施の形態】
図１は本発明に係るガラスブロックの実施例を示す分解斜視図、図２の（Ａ）は本発明に係るガラスブロック構築体に使用する楔部材の斜視図、図２の（Ｂ）は本発明に係るガラスブロック構築体に使用する楔部材の平面図、図３の（Ａ）は本発明に係るガラスブロック構築体に使用する他の楔部材の斜視図、図３の（Ｂ）は本発明に係るガラスブロック構築体に使用する他の楔部材の平面図、図４は本発明に係るガラスブロック構築体に使用する縦筋の要部斜視図、図５は本発明に係るガラスブロック構築体の構築例を示す全体の概略正面図、図６は本発明に係るガラスブロック構築体において縦筋に固定したガラスブロックの斜視図である。
【００１６】
図１〜６において、１はガラス成形体、２は締着部材、３は連結部材、４は縦筋、５はスペーサ、６は楔部材、１０はガラスブロック、２０はガラスブロック構築体を示している。
【００１７】
図１に示すように、ガラス成形体１は、二個のガラス成形体１、１を開放端縁１ａ、１ａ同志で一体化させて中空のガラスブロック１０が得られるように、一辺が所定寸法（例えば、略２０ｃｍ）の略正方形をなす底面（透光面）１ｂと、所定の高さ（例えば、略５ｃｍ）の側壁１ｃとからなる有底無蓋の箱形状に成形してある。また、ガラス成形体１の側壁１ｃには、ガラスブロック１０を締着一体化できるように、透光面１ｂから開放端縁１ａにかけて側壁１ｃに貫通した締着部材２を挿通させるための貫通孔１ｄが、透光面１ｂの四隅に形成してある。また、それぞれの貫通孔１ｄには、締着部材２が透光面１ｂからはみ出さないように、締着部材２のボルト２ａの頭部２ａａ又はナット２ｂ、及びＯリング２ｃを収納する凹部１ｄａが形成してある。また、側壁１ｃのコーナー部１ｃａは、貫通孔１ｄを形成する際や、締着部材２でガラス成形体１を締着一体化する際に破損しにくくなるように、内表面１ｃｂ側に肉厚に形成してあり、具体的には、貫通孔１ｄの表面１ｄａから側壁１ｃの内表面１ｃｂまでの距離（厚さ）が２ｍｍ以上、好ましくは４ｍｍ以上あるとよい。
【００１８】
連結部材３は、ステンレス等の金属又は樹脂からなり、図１に示すように、枠部３ａと、枠部３ａの外側面３ａｂの２箇所に突設した連結部３ｂ、３ｂと、枠部３ａの外側面３ａｃの１箇所に突設した連結部３ｃを具備し、枠部３ａの四隅には挿通保持孔３ｄが形成してあり、ガラス成形体１、１間に挟持され、連結部３ｂ、３ｃによって縦筋４と連結され、ガラスブロック１０を縦筋４に固定させるものである。連結部の形状は縦筋４の形状に合わせて嵌着しやすいように変えればよく、例えば連結部３ｂ、３ｃは、枠部３ａの外側面３ａｂ、３ａｃから突設した所定幅の板ばね材料を、円柱状の縦筋４に弾性的に嵌着（枢着）して着脱可能となるように略Ｃ字形に形成してある。また、連結部３ｂ、３ｃは、ガラスブロック１０を縦筋４に強固に固定できるように、枠部３ａの外側面３ａｂ、３ａｃのそれぞれ少なくとも１箇所、合計で３以上の箇所に突設して形成してある。また、枠部３ａは、締着一体化したガラスブロック１０から枠部３ａが突出することによって、ガラスブロック構築体２０の目地部１１にバックアップ材、目地部材等を充填する際に、バックアップ材、目地部材等を所定の位置より目地部１１の内部に押し込まれるのを防止できるように、ガラス成形体１の開放端縁１ａより少し大きめに成形してある。また、挿通保持孔３ｄの孔径は、締着部材２でガラス成形体１を締着した際、ガラス成形体１と連結部材３とがずれにくいように、締着部材２の直径と略同寸に形成してある。
【００１９】
締着部材２は、図１に示すように、金属又は樹脂からなるボルト２ａ、ナット２ｂ及び弾性材料のＯリング２ｃからなり、ボルト２ａをガラス成形体１の貫通孔１ｄと連結部材３の挿通保持孔３ｄに挿通してナット２ｂと螺合し、ガラスブロック１０を締着一体化させるものである。
【００２０】
スペーサ５は、連結部材３が金属製である場合に必要となり、ガラス成形体１の開放端縁１ａと略同形、略同寸のゴム又は合成樹脂等の弾性材料から形成され、二個のガラス成形体１、１と連結部材３の間の２箇所に配設して、ガラス成形体１と金属製の連結部材３とが直接接触して締着時のガラス成形体１の破損を防止させるものである。また、スペーサ５の四隅には、締着時にスペーサ５が所定の位置からずれないように締着部材２を挿通するための挿通孔５ａが形成してある。
【００２１】
楔部材６は、図２に示すように、上端６ａから下端６ｂに向かって徐々に大きくなる外径と、上端６ａから下端６ｂに連続するスリット６ｃと、内孔６ｄを有するゴム又は樹脂からなる略円筒体に成形してあり、縦筋４に弾性的に嵌着し、上端６ａを連結部材３の連結部３ｂ、３ｃと縦筋４との間に、連結部３ｂ、３ｃの下端部３ｂａ、３ｃａから挿入させて、連結部３ｂ、３ｃを縦筋４に固定して、連結部３ｂ、３ｃのずれを抑制させるものである。尚、楔部材６は、ガラスブロック１０の両側にある連結部３ｂ、３ｃの１個に対して１個づつ設ければよい。
【００２２】
縦筋４は、断面形状が円形、矩形等の柱状体が使用可能であるが、特に断面形状が円形のＪＩＳ  Ｇ  ３５０２に規定したピアノ線、ＪＩＳ  Ｇ  ３５０６、ＪＩＳ  Ｇ  ３５３６に規定したＰＣ鋼線等であると、引張耐力が大きいため好ましい。
【００２３】
また楔部材の他の実施形態として、図３に示す楔部材６があり、縦筋の他の実施形態として、図４に示す縦筋４がある。この楔部材６は、連結部３ｂ、３ｃのずれを防止させると共に、ガラスブロック１０の位置を正確に決めることができるように、図４に示す縦筋４の外表面４ａに形成した凹部４ｂ（図４）に嵌合する凸部６ｆを内孔面６ｅに形成してある。
【００２４】
本発明における主要部材の構成は以上からなり、次に、上記主要部材を使用してガラスブロック構築体２０を構築する要領を説明する。
【００２５】
先ず、図５に示すように、縦筋４の上端４ｃと上枠７及び下端４ｄと下枠８とを、上枠７と下枠８に設けた固定冶具（図示せず）によって緊張を与えて固定して縦筋４を所定の等間隔で配設する。このように縦筋４に緊張を与えて固定することによって、ガラスブロック１０を縦筋４に固定した際に、縦筋４が撓みにくく、ガラスブロック構築体２０の強度低下が抑制できるようになる。次いで上枠７と下枠８に両側の側枠９、９を取り付ける。
【００２６】
次に、図６に示すように、ガラス成形体１、１と、連結部材３と、スペーサ５とを締着部材２によって締着一体化したガラスブロック１０の連結部３ｂ、３ｃ（図示せず）を、縦筋４に押し当てて嵌着させ、ガラスブロック１０の上下位置を正確に決めた後、連結部３ｂ、３ｃと縦筋４との間に、予め縦筋４に所定の位置よりも少し下方にずらして嵌着しておいた楔部材６を連結部３ｂ、３ｃの下端部３ｂａ、３ｃａから挿入して、連結部３ｂ、３ｃを固定する。また、凸部６ｆを形成した楔部材６を使用する場合には、その凸部６ｆを縦筋４の外表面４ａに形成した凹部４ｂに嵌合して、連結部３ｂ、３ｃを固定する。
【００２７】
以上のようにして、所定の個数のガラスブロック１０を縦筋４に順次固定し、必要に応じて、目地部１１にシリコーンスポンジガスケット、建築用不定形シーリング材等の弾性材料からなる目地部材（図示せず）及び／又はバックアップ材を充填すれば、ガラスブロック構築体２０の施工作業が完了する。
【００２８】
また、ガラスブロック構築体２０に構築したガラスブロック１０を交換する場合には、目地部材及び／又はバックアップ材がある場合、それらを取り除き、楔部材６を連結部３ｂ、３ｃと縦筋４の間から、下方に引き下げて外し、連結部３ｂ、３ｃを、楔状の冶具、例えばマイナスドライバーの先端で縦筋４から外し、ガラスブロック構築体２０を構築するのと同じ要領で、交換用ガラスブロックを縦筋４に固定するだけで、ガラスブロック構築体２０の一部又は全部を解体しなくても、ガラスブロック１０を一個単位で交換することが可能となる。
【００２９】
また、ガラスブロック１０の四隅の締着部材２を貫通孔１ｄから抜き取りガラス成形体１を取り外し、ガラスブロック１０を作製するのと同じ要領で、交換用ガラス成形体を取り付ければ、連結部３ｂ、３ｃを縦筋４から外すことなく容易にガラス成形体１を交換することが可能となる。
【００３０】
【発明の効果】
本発明によれば、締着部材を貫通孔から抜くだけで、ガラスブロックを容易に分解できるため、デザインや色調の異なるガラス成形体に交換することによって、あるいは一対のガラス成形体の開放端縁によって挟持するファイバーシート材等のシート材を交換又は着脱することによって、壁のデザインや色調を容易に変更できる。また、商品、装飾品等をガラスブロックの中空部に入れてショーケースとして利用したり、あるいはガラスブロックの中空部に入れた商品、装飾品等を取り替えたりすることが容易になる。さらに、本発明のガラスブロックを使用して構築したガラスブロック構築体は、連結部を縦筋に嵌着して固定するため、連結部を容易に着脱させることができ、ガラスブロックが一個単位で容易に着脱可能となる。そのため、ガラスブロックが一部破損しても、ガラスブロック構築体の一部又は全部を解体することなく、破損したガラスブロックだけを交換するだけでよく、補修が容易になる。また、ガラスブロック構築体を容易に構築でき、しかも、間仕切壁の位置を変更する際には、ガラスブロック構築体を容易に解体し再構築できる。
【００３１】
また、締着部材を、ガラス成形体の貫通孔だけでなく、連結部材の枠部に形成した挿通保持孔にも挿通して締着一体化することによって、ガラス成形体と連結部材とがずれにくく、ガラスブロックをガラスブロック構築体に、位置ずれすることなく固定することができる。
【００３２】
また、上端から下端に沿って徐々に大きくなる外径と、上端から下端に連続するスリットとを有する略筒状の楔部材を、連結部材の連結部と縦筋の間に連結部の下端から挿入して連結部を固定することによって、ガラスブロックが縦筋に沿って下方にずれにくくなる。
【００３３】
また、楔部材の内孔面に凸部を形成し、縦筋の外表面に凹部を形成し、楔部材の凸部と、縦筋の凹部とを嵌合させることによって、ガラスブロックが縦筋に沿って下方にずれることがなく確実に固定でき、また、個々のガラスブロックを正確に位置決めできる。
【図面の簡単な説明】
【図１】本発明に係るガラスブロックの実施例を示す分解斜視図。
【図２】（Ａ）は本発明に係るガラスブロック構築体に使用する楔部材の斜視図、（Ｂ）は本発明に係るガラスブロック構築体に使用する楔部材の平面図。
【図３】（Ａ）は本発明に係るガラスブロック構築体に使用する他の楔部材の斜視図、（Ｂ）は本発明に係るガラスブロック構築体に使用する他の楔部材の平面図。
【図４】本発明に係るガラスブロック構築体に使用する縦筋の要部斜視図。
【図５】本発明に係るガラスブロック構築体の構築例を示す全体の概略正面図。
【図６】本発明に係るガラスブロック構築体において縦筋に固定したガラスブロックの斜視図。
【符号の説明】
１  ガラス成形体
１ａ  開放端縁
１ｂ  底面（透光面）
１ｃ  側壁
１ｃａ  コーナー部
１ｃｂ  内表面
１ｄ  貫通孔
１ｄａ  表面
１ｄａ  凹部
２  締着部材
２ａ  ボルト
２ａａ  頭部
２ｂ  ナット
２ｃ  Ｏリング
３  連結部材
３ａ  枠部
３ａｂ、３ａｃ  外側面
３ｂａ、３ｃａ  下端部
３ｂ、３ｃ  連結部
３ｄ  挿通保持孔
４  縦筋
４ａ  外表面
４ｂ  凹部
４ｃ  上端
４ｄ  下端
５  スペーサ
５ａ  挿通孔
６  楔部材
６ａ  上端
６ｂ  下端
６ｃ  スリット
６ｄ  内孔
６ｅ  内孔面
６ｆ  凸部
７  上枠
８  下枠
９  側枠
１０  ガラスブロック
１１  目地部
２０  ガラスブロック構築体
【図１】
2004346575.tif 000003
【図２】
2004346575.tif 000004
【図３】
2004346575.tif 000005
【図４】
2004346575.tif 000006
【図５】
2004346575.tif 000007
【図６】
2004346575.tif 000008